Podtech/llm-jp-corpus-v4-ja_patent huggingface dataset:
(57)【要約】      （修正有）【課題】湯温を同時に２つ以上設定できる同時複温設定式ジャーポットを提供する。【解決手段】同時に２通り以上の温度設定をすることが出来、給湯も２通り以上でできるようなポットにする。温度の違う湯を設定できるよう容器に仕切り板６があり、解除ボタン１・出湯口２・出湯ボタン３・温度設定表示４等が各２つづつあり、例えば日本茶が最も美味しくなる温度で急須に注ぐことが出来、次にコーヒーが美味しくなる適温でカップに注ぐことが出来る。【選択図】図１
0003146767.tif 000002
【実用新案登録請求の範囲】
【請求項１】
お湯の温度を同時に二つ以上設定でき、そのうちいずれかの温度の湯を選択給湯できる複温同時設定の装置を有するジャーポット。
【考案の詳細な説明】
【技術分野】
【０００１】  本考案は、湯温を同時に２つ以上に設定できる同時複温設定式ジャーポットに関する。
【背景技術】
【０００２】  従来のジャーポットでは、温度設定が同時には１通りの設定、給湯である。（図２）
【考案の開示】
【考案が解決しようとする課題】
【０００３】  これでは例えば日本茶とコーヒーでは注ぐ温度が異なるため、どちらかに不都合が生じていた。
【課題を解決するための手段】
【０００４】  そこで、温度を同時に２通り以上に設定でき、選択給温できるジャーポットを考案した。（図１）。
【考案の効果】
【０００５】  よって、この機能により、用途に応じてジャーポットのお湯を効率的に利用することが出来、電気代も節約できる。
【考案を実施するための最良の形態】
【０００６】  本考案に係る機能を持つジャーポット２０は、図１に示すように、温度の違う湯を設定できるよう容器に仕切り板６があり、解除ボタン１・出湯口２・出湯ボタン３・温度設定表示４等が各２つづつあり、例えば日本茶が最も美味しくなる温度で急須に注ぐことが出来、次にコーヒーが美味しくなる適温でカップに注ぐことが出来る。
【図面の簡単な説明】
【０００７】
【図１】  本考案に係る機能を持つ装置を搭載したジャーポットの図である。
【図２】  従来のジャーポットの図である。
【符号の説明】
【０００８】  １    湯温表示
２    出湯口
３    出湯ボタン
４    出湯解除ボタン
５    湯容器
６    湯容器仕切り板
１０    従来式ジャーポット
２０    同時複温設定・給湯式ジャーポット
【図１】
0003146767.tif 000003
【図２】
0003146767.tif 000004
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
湯容器の構造を複数に分け、温度を複数に設定・表示・選択できる装置を有するジャーポット。
【手続補正２】
【補正対象書類名】明細書
【補正対象項目名】０００４
【補正方法】変更
【補正の内容】
【０００４】  そこで、ジャーポットの湯容器（５）に仕切り（６）を設けると共に湯温を別々に設定・表示・操作できるよう表示・操作装置を備えたジャーポットを考案した。
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
１つのジャーポットに２つのポット構造・機能を設け、それぞれのポットの温度設定・表示・操作等が従来のポットと同様にできる装置を有するジャーポット。
【手続補正２】
【補正対象書類名】明細書
【補正対象項目名】０００４
【補正方法】変更
【補正の内容】
【０００４】  そこで、２つのジャーポットの機能を１つのジャーポットにまとめるため、ポットの湯容器（５）に仕切り（６）を設けるか、２つの湯容器を設けると共にそれぞれの湯器の湯を別々に設定・表示・操作できるよう、従来の設定・表示・操作装置とは別にもう１組の設定・表示・操作装置を備えたジャーポットを考案した。
尚、それぞれのポットは電源でスイッチのＯＮ、ＯＦＦとし、それぞれのポットの関係は独立した構造とする。
【手続補正書】
【提出日】平成20年8月27日(2008.8.27)
【手続補正１】
【補正対象書類名】実用新案登録請求の範囲
【補正対象項目名】全文
【補正方法】変更
【補正の内容】
【実用新案登録請求の範囲】
【請求項１】
１つのジャーポット内の湯容器に仕切り板で２つに仕切り、該仕切り板により仕切られたそれぞれの部分毎に、温度設定・表示・操作を行う装置を有するジャーポット。
【手続補正２】
【補正対象書類名】明細書
【補正対象項目名】０００４
【補正方法】変更
【補正の内容】
【０００４】そこで、ジャーポットの湯容器（５）に仕切り（６）を設けると共に湯温を別々に設定・表示・操作できるよう表示・操作装置を備えたジャーポットを考案した。
(57)【要約】      （修正有）【課題】制作に手数を要せず、供養の気持ちを高揚できる御供盛籠を提供する。【解決手段】器台である籠１にレプリカ２を架設するとともに、レプリカ２または籠１に発光器を設置する。発光器３はバッテリ上に設置されていてバッテリから電力が供給されるようになっている。バッテリからの電力を発光器３に供給、停止の切換をするスイッチは御供盛籠Ｋの後方で下方に設置されている。スイッチ５を押すと発光器３が発光しレプリカ２等が照明され、レプリカ２を介して周囲がライトアップされることになり、したがって供養の気持ちが高揚される。スイッチを再度押すと発光器３は消灯するようになっている。【選択図】図１
0003146762.tif 000002
【実用新案登録請求の範囲】
【請求項１】
器台の籠にレプリカを架設した御供用の盛籠に照明用の発光器を設置したことを特徴とする御供盛籠。
【考案の詳細な説明】
【技術分野】
【０００１】
本考案は葬儀あるいは法事等において配設される御供盛籠に関するものである。
【背景技術】
【０００２】
従来のおけるこの種の御供盛籠は図３に示すもので、供物収容籠Kに空洞がありこの空洞に古紙や新聞紙、その他発泡スチロール材等を詰め込み、その表面はほぼ階段状に形成して各段に供物を載置するものが常用されている。
【考案の開示】
【考案が解決しようとする課題】
【０００３】
したがって上記従来の供物盛籠は、その外観形成に古紙等の詰め込み作業が必要である。この作業は初心者にとっては負担は大きく熟練を要する。熟練者にしても経験と勘に頼っているのが実情で、作業に手間を要し供物の配置状態を均一にし難しいという問題を有している。さらに夜間等においてはあたりが暗く、主催者ならびに参加者の気持ちが高揚しないという問題も有している。
【課題を解決するための手段】
【０００４】
御供盛籠に器台となる籠に供物用レプリカを架設するとともに、前記籠またはレプリカに照明のための発光器を設置したものである。したがって御供盛籠の構造が簡略となる。
【考案の効果】
【０００５】
構造の簡略化は、籠とレプリカの結合が容易となること、レプリカにて外観形状が均一化されること、そして発光器の設置で従来の問題点が解消される。すなわち御供盛籠の製作が容易となり、しかも均一な盛籠が提供される。しかも発光器にて盛籠が照明され供養の雰囲気も高揚する。
【考案を実施するための最良の形態】
【０００６】
以下図面に示す実施例にしたがって本考案の構造を説明する。
【０００７】
図1は本考案による御供盛籠Kを正面から見た外観図で、1が器台としての籠で上方にレプリカ2が架設結合されている状態が示されている。他方図2は本考案の御供盛籠Kを側方より見た図で内設された発光器3等が破線で示されている。すなわち、図2において発光器3はバッテリ4上に設置されていてバッテリ4から電力が供給されるようになっている。5はバッテリ4からの電力を発光器3に供給、停止の切換をするスイッチで図2に示すように御供盛籠Kの後方で下方に設置されている。スイッチ5を押すと発光器3が発光しレプリカ2等が照明され、レプリカ2を介して周囲がライトアップされることになり、したがって供養の気持ちが高揚される。スイッチを再度押すと発光器3は消灯するようになっている。
本考案が提供する御供盛籠の構造ならびに特徴は以上詳述したとおりであるが、上記ならびに図示例に限定されるものではなく、種々の変形例を包含する。
まずレプリカの外観であるが、図示例に限定されず別の果物を盛り合わせた形とすることもでき、例えば苺などの形状も形成した外観とすることもでき形状に変形は無限である。器台としての籠1の形状も同様で図示例に限定されない。
さらに本考案の特徴の一つである発光器3の構造、形状であるが、この点についても図示例には限定されない。この発光器3は電力にて発光するものであることにかわりはないがその電力は上記のとおりバッテリ（蓄電池）に限定されるものではなく、家庭照明の電線を接続して発光する形式にするものも本考案の請求範囲に含まれるものである。
スイッチ5の形式・配置も図示例に限定されず例えばスイッチ5を前面に配設してもよい。
あるいは、御供盛籠Kを載置する形にしその載置台上にスイッチを配することも可能である。発光器3の形状、形式、構造も限定されない。さらに発光器3の設置位置であるが、図示例のようにレプリカ2に近接した位置にしているが、より下方の籠1の部位に設置することもできる。
発光器3、設置の仕方は図示で限定されず例えば籠内に取付ける方式やレプリカに取付ける方式、さらには支柱を設けて指示する方式もあり設置する様にしてもよい。
本考案は上記に変形例およびこの変形例に近い変形例も含めて包含するものである。
【図面の簡単な説明】
【０００８】
【図１】本考案が提供する御供盛籠の外観を正面から見た図である。
【図２】本考案が提供する御供盛籠を側方から見た図で発光部の設置も示されている。
【図３】従来の御供盛籠の外観を正面から見た図である。
【符号の説明】
【０００９】
K：  御供盛籠
1：  籠
2：  レプリカ
3：  発光器
4：  バッテリ
5：  スイッチ
【図１】
0003146762.tif 000003
【図２】
0003146762.tif 000004
【図３】
0003146762.tif 000005
(57)【要約】      （修正有）【課題】日本語等発音表記を日本語等に付加し、スムーズな言葉の理解や語意誤解防止をする辞書又は辞典を提供する。【解決手段】辞書又は辞典に係る文面１にたとえば日本語発音表記３をワード２、意味４や文章５等に付随させることにより、その発音を意味と同時に知ることができる。これにより、日本語の意味だけでなく発音の仕方まで分かるので、発音の間違いによる誤解等を防止することができる。【選択図】図１
0003146770.tif 000002
【実用新案登録請求の範囲】
【請求項１】
言語理解と会話によるコミュニケーションのための表記を付随させた実践的な書物。
【考案の詳細な説明】
【技術分野】
【０００１】本考案は、発音表記を含んだ書物に関するものである。
【背景技術】
【０００２】例えば英和／和英辞書・辞典等には、日本語をどう発音するのか記載されておらず外国人がみる際には説明書や翻訳参考書等にとどまっていた。
【考案の開示】
【考案が解決しようとする課題】
【０００３】たとえば日本語を学習しようとするとき、また、外国語の通じない日本人に伝えるとき、従来の辞書等では、発音が分からず誤解も生じる。場合によっては、極めて危険な状況にもなりかねない。あいうえおの発音を知っていて、ひらがな・カタカナの表記が読めても、発音の違いで日本語は違う意味になる。従って、日本語の発音表記を付加し、前述の欠点を解決しようとするものである。
【課題を解決するための手段】
【０００４】本考案は、言葉の伝達をスムーズにできるよう発音表記を設け、問題点を解決している。
【考案の効果】
【０００５】上述の様に、本考案の発音付書は、その言葉を常用してこなかった者に対し便利なツールであり、発音の間違いによる誤解等防止として役立つ。
【考案の実施するための最良の形態】
【０００６】説明される単語や語句等、又はその説明や文章にも付随させて発音表記を記載する。
【実施例】
【０００７】以下、添付図面に従って一実施例を説明する。１は辞書の文面、日本語発音表記３はワード２の発音をあらわす。【０００８】ワード２の発音にとどまらず大きな辞典においては、日本語発音表記３がワード２の複数ある意味４それぞれに又例文５にも付加される。
【図面の簡単な説明】
【０００９】
【図１】本考案の日本語発音付書の一実施例を示す正面図である。
【符号の説明】
【００１０】１文面
２ワード
３日本語発音表記
４意味
５例文
【図１】
0003146770.tif 000003
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
ワード（２）、意味（４）、日本語発音表記（３）の順で記載された文面（１）を含む辞書又は事典。
(57)【要約】      （修正有）【課題】デザイン性が高く、構造、形状ともに単純で、特に部品を必要とせず組み立ても不要で、生産性と耐久性とを兼ね備えた連結具をもつ環状装身具を提供する。【解決手段】環状装身具の環２を単体で連結および離隔する連結具１において、装身具全体に構築されたデザインを継承した形状と、螺旋状の重畳構造とを備え、該重畳構造は、その各層が密着せず、装身具両端の被連結部が挿通可能な間隔を持つことによって解決する。【選択図】図１
0003146778.tif 000002
【実用新案登録請求の範囲】
【請求項１】
環状装身具の環を単体で連結および離隔する連結具において、装身具全体に構築されたデザインを継承した形状と、螺旋状の重畳構造とを備え、該重畳構造は、その各層が密着せず、装身具両端の被連結部が挿通可能な間隔を持つことを特徴とした連結具。
【考案の詳細な説明】
【技術分野】
【０００１】  本考案は、デザイン可能な環状装身具の連結具に関する。
【背景技術】
【０００４】  装身具にとってデザインは根幹的要素であり、環状装身具にとって、連結具をどうするか、ということは重要な課題（非特許文献１参照。）であって、現在に至るまで連結具に関する多数の発明、考案がなされている（特許文献１参照）。【０００２】  現在、ブレスレット、ネックレス、アンクレット、ベルト等、紐状、帯状および鎖状の環状装身具の環を連結および離隔によって着脱する連結具としては、下記特許文献２にもあるように引き輪式、中折れ式、差込み式、フィッシュフック式等が最も一般的で、いずれも環状装身具の両端に雌雄の異なる部品を用いる形態である。【０００７】  また、キーホルダー等に広く採用されているキーリングは、ばね線材を螺旋状に巻き回し、密着させることで鍵等を係止する。
【非特許文献１】  「彫金の技法  ジュエリーデザイン  新訂版」、塩入義彦著、理工学社出版（２００３年１１月５日新訂第７版発行）、ｐ．４−６１
【特許文献１】  特開２００７−１１７６３８号  公報
【特許文献２】  実用新案登録３０３４４３５号  公報
【考案の開示】
【考案が解決しようとする課題】
【０００５】  上述の形態の連結具ではあくまで連結具としての形状をもたざるをえず、装飾性に乏しいため小さく作る必要があり、前記必要性に加え数点の部品も要することから生産コストもかかり損壊の恐れを拭えない。【０００６】  近年の技術により、装飾を施すことが可能で美観を損なわない連結具（例えば特許文献３、４、５）もみられるが、いずれも連結具等の形状を隠蔽することで美観を与えるにすぎず、未だ連結具自体に積極的にデザイン性を与えるものはない。【０００７】  また、上述のキーリングの場合はばね成形機等のよる加工を必要とし、着脱より、連結の維持機能が目的のため装飾性は無く、不用意に連結が解除される可能性はないものの、反面、下記特許文献６にもあるように着脱に困難が伴い、加えて、線材端部がユーザの指先を負傷させたり、衣服の生地等を引っ掛けて破損させたりする可能性がある。【０００８】  本考案はこのような従来技術の課題を解決すべく、デザイン性が高く、構造、形状ともに単純で、特に部品を必要とせず組み立ても不要で、生産性と耐久性とを兼ね備えた連結具の提供を目的とする。
【特許文献３】  特開２００７−６８５８４号  公報
【特許文献４】  特許３９３９６４７号  公報
【特許文献５】  特許３５７２０４１号  公報
【特許文献６】  特開２００６−１６１５０６号  公報
【課題を解決するための手段】
【０００９】  本考案は、環状装身具の環を単体で連結および離隔する連結具において、装身具全体に構築されたデザインを継承した形状と、螺旋状の重畳構造とを備え、該重畳構造は、その各層が密着せず、装身具両端の被連結部が挿通可能な間隔を持つことによって解決する。
【考案の効果】
【００１０】  本考案により高いデザイン性に加え、生産性と耐久性とを兼ね備えた連結具を提供でき、さらに、上記の連結具はいずれの個々の環状体とも着脱させることが可能であるため、鎖状の環状装身具に用いた場合、アジャスタとしても機能する。
【考案を実施するための最良の形態】
【００１１】  以下、本考案をハート形状の鎖状の装身具に適用した場合について説明する。【００１２】  図１に示すとおり、鎖状の環状装身具のデザインの連続性を連結具１が阻害することなく高いデザイン性を提供できる。【００１３】  連結具１はハート形状のいずれの環状体とも着脱可能で装身具のサイズを調節するアジャスタの機能を持つ。【００１４】  環状体および連結具に施すデザインは環の形状をふくんでさえいればよく、デザインに限界がない（図２参照）。【００１５】  連結具１は図３に示した２回転程度の螺旋状の重畳構造であり、単純な構造、形状のため素材を選ばず、また、部品が不要なため組み立ての必要もなく、素材を金属とした場合、他の環状体と同様に連結具も鋳造可能であり、また、キーリングのように、金属性のばね線材を巻き回して密着させるばね成形機による加工も必要ない。【００１６】  結果、極小化の必要性はなくなり、生産性と耐久性とを与える。【００１７】  被連結部の環状体２の厚みを螺旋の挿通可能な間隔３、４より薄く設計することで、連結具１を回転させ、環状装身具を連結、解除することができる。【００１８】  被連結部の環状体２の幅を挿通可能な間隔３，４よりもかなり太い幅６にすることで、連結が不用意に解除されることを防ぎ、挿通可能な間隔３，４程度の幅７の部分をつくることで比較的容易に着脱できる。【００１９】    連結具自体のデザイン性が高いため、図６に例示するように、連結具１を他の手持ちの装身具と組み合わせて楽しめる。【００２０】  さらに、環状装身具の被連結部が、連結具の厚み５を越える内径をもつ輪状の形状（素材の硬軟を問わない）をもってさえいれば、環状装身具の大部分を占める素材、形状は問われない。【００２１】  すなわち、本実施形態では本考案をハート形状の鎖状の装身具に適用した場合について説明したが、これは本考案の適用可能な局面を例示したものであって、本考案はこれに限定されるものではなく、記述の局面に対する様々な修正や変形例（例えば図７）をこの考案の範囲から逸脱することのない範囲内で考察することが可能である。
【図面の簡単な説明】
【００２２】
【図１】  本考案の実施例
【図２】  ハート形状以外の例示
【図３】  連結具１の斜視図
【図４】  連結具１の側部平面図
【図５】  被連結部の環状体２の上部平面図
【図６】  連結具の転用例
【図７】  本考案をベルトに実施した例
【符号の説明】
【００２３】１  連結具
２  被連結部の環状体
３  挿通可能な間隔
４  挿通可能な間隔
５  連結具の厚み
６  挿通可能な間隔３，４よりかなり太い幅
７  挿通可能な間隔３，４程度の幅
【図１】
0003146778.tif 000003
【図２】
0003146778.tif 000004
【図３】
0003146778.tif 000005
【図４】
0003146778.tif 000006
【図５】
0003146778.tif 000007
【図６】
0003146778.tif 000008
【図７】
0003146778.tif 000009
(57)【要約】      （修正有）【課題】脊椎に障害があって仰向けに寢られない人、肩が圧迫されて腕がしびれる人、背中があたヽまると眠れない人でも、無理なく眠れる横眠りマットレスを提供する。【解決手段】マットの上部に溝を作り、該溝の右側部１、中央部２及び左側部３に上蓋式開閉蓋を設ける。右腕下寝の時は、右側部１と中央部２の開閉蓋を開け、右腕及び右肩を溝に落して眠る。左腕下寝の時も、同様に左側部３と中央部２の開閉蓋を開けて使用する。中央部２の上蓋は、適度に使用位置を調整できるように、マジックテープ（登録商標）で固定する。【選択図】図１
0003146771.tif 000002
【実用新案登録請求の範囲】
【請求項１】
上蓋式開閉マットレス  マット上部に開閉式溝を作る事に依りそれに肩を落し肘を入れ肩及び腕の痺れを防ぐマット上蓋式開閉蓋は右  中央  左と３個に別れ中央の上蓋はマジックテープに依り適度に調節が出来着脱自在である  脊椎に障害のある方も溝に肩を落し横向きで楽に眠る事が出来るマット  上蓋式開閉蓋をもどせば通常のマットレス。
【考案の詳細な説明】
【技術の分野】
【０００１】本考案はマットの上部に開閉式の溝を作成したマットレスに関するものである。
【技術の背景】
【０００２】人体は立体的な動物であるから元来平坦な寝具に横たわるのは無理がある  無理なく眠れる様人体の曲線にそって上蓋式開閉マットを考案したものである  マット上部に溝を作り右  中央  左と開閉式を作成  右を下にして眠る場合は右側部  中央頭部を開け右肩右腕を溝に落し肩及び右腕の痺れを防ぐ事が出来る  左側部も同様  中央頭部の上蓋はマジックテープを使用適度に調節する事が出来着脱自在である。材貭は本体低反発ウレタン  生地はポリエステル。
【図面の簡単な説明】
【０００３】
【図１】右腕下寢の時は１と２を開けます  ２は枕となります  ２を開けて溝に肩腕を入れます  不自然な肩の重圧がぬけて安らかな寢心地となります  左寢の場合も同じく３を開けて６に重ねます左腕を落し左肱までをすっぽりと入れ手首は上にあげても胸の方へ曲げても自由な姿正がとれます
【図２】本考案の使用状態を示す平面図
【図３】中央部２をはづした物ベロの部分にマジックテープを貼ってあります首に直にあたらない様に内側に装着してあります
【図１】
0003146771.tif 000003
【図２】
0003146771.tif 000004
【図３】
0003146771.tif 000005
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
上蓋式開閉蓋であって、上蓋式開閉蓋はマット上部に溝を作る事により、右中央左と３個に別れ中央上蓋は〔マジックテープ（登録商標）〕により適度に調節が出来着脱自在であり、上蓋式開閉蓋をもどせば通常のマットレスとして使用する事を特長とする上蓋式開閉マットレス。
(57)【要約】      （修正有）【課題】片方の足のパンティストッキングに穴が開いたら穴が開いたほうのパンティストッキングだけを取り替えることができるように、左右ある足の入る部分の片方を削除して片足だけにしたパンティストッキングを提供する。【解決手段】パンティストッキングのパンティ部分は残して足の入る部分の一方を削除すると片足１だけになる。片足だけになったパンティストッキングを２個左右になるように穿くと左右独立した動きができ、穴が開いた方だけ取り替えることができ経済的である。【選択図】図１
0003146776.tif 000002
【実用新案登録請求の範囲】
【請求項１】
パンティストッキングのパンティ部分は残して足の入る部分の一方を削除した形のストッキングを２枚穿くことにより左右の独立した動きになり、片方の足のパンティストッキングに穴が開いても、穴の開いたほうだけを取り替えることができる。
【考案の詳細な説明】
【技術分野】
【０００１】本考案はパンティストッキングの左右の足の部分を片足だけにした。すなわち片足だけついている状態のパンティストッキングである。
【背景技術】
【０００２】パンティストッキングの左右の足の部分のどちらかに穴があくと、穴の開いたほうだけ取り替えることが出来ずに捨てていた。
【考案の開示】
【考案が解決しようとする課題】
【０００３】パンティストッキングの左右の足の部分のどちらかに穴があくと、もう片方の足の部分はまだ使用できるのに捨てていた。パンティストッキングを片足ずづ取替えることができるようにパンティストッキングの足の部分を片方だけにしたことにより問題を解決しようとしている。
【課題を解決するための手段】
【０００４】本考案はパンティストッキングのパンティ部分は残して足の入る部分の一方を削除して、片足だけになった形１にする。これを二枚重ねて穿く事２により左右の足に穿くことになる。
【考案の効果】
【０００５】片足だけになったパンティストッキングを二枚重ねて穿く事により、左右が独立して動き片足だけでもパンティストキイングの着脱が可能になり、片方に穴が開ても開いたほうのパンティストッキングだけ取り替えることが出来る。経済的である。パンティ部分が二枚重ねになることによりヒップ、腹部が引き締しまる感じが得られる。一枚目に穿いた片足のパンティストッキングだけを全部脱がずに取り替えるには、一枚目に穿いた片足のパンティストッキングの短いほうのパンツ部分にウエストから下に向かってハサミでカットして、もう片方の長い足の部分へ引っ張り込むと脱ぐことができ、片足のパンティストッキングを新しく重ねて穿くことができる。
【考案を実施するための最良の形態】
【０００６】片足だけになった状態のパンティストッキングを１個とする１。これを２個はく２。
足の部分が左右になるように穿く。足部分は１重となりパンティ部分は２重となる。
【図面の簡単な説明】
【０００７】
【図１】片足のパンティストッキングを示す平面図
【図２】片足のパンティストッキングを２個重ねて穿いた状態の平面図
【符号の説明】
１片足のパンティストッキング本体
２片足のパンティストキングを２枚重ねた本体
【図１】
0003146776.tif 000003
【図２】
0003146776.tif 000004
【手続補正書】
【提出日】平成20年8月28日(2008.8.28)
【手続補正１】
【補正対象書類名】実用新案登録請求の範囲
【補正対象項目名】全文
【補正方法】変更
【補正の内容】
【実用新案登録請求の範囲】
【請求項１】
ウエストから左右の臀部を覆うパンティ部分とパンティ部分より左右の２方に分かれ、一方は大腿部から下腿部、つま先までを覆う第一部分、もう一方は大腿部まで覆う第二部分を備えたストッキングの部品の二枚からなり、第一部分に左右の片方の足を通し、第二部分に左右のもう一方の片方の足を通して一枚目を穿き、二枚目は第一部分と第二部分が左右の足に重なるように穿いて二枚重ねで使うパンティストッキング。
(57)【要約】      （修正有）【課題】方向指示レバーに、制御用押しボタンスイッチを取り付けて、非常灯の点灯点滅、クラクションを鳴らす、ブレーキを踏まずに、ブレーキ灯の点灯点滅、後方警報器を鳴らすことができる自動車用の警告機器の制御装置を提供する。【解決手段】従来の方向指示レバーに、警報機器制御用押しボタンスイッチ１を取り付け、前方に向かっては、押しボタンスイッチ１を押してＯＮで、非常灯が点灯する。押しボタンスイッチ１、ＯＮの状態で、レバーを左折に入れるとクラクションが鳴る。後方に向かっては、押しボタンスイッチ１、ＯＮで、非常灯が点灯する。押しボタンスイッチ１、ＯＮの状態で、レバーを右折に入れると、ブレーキ灯が点灯し後部警報器が鳴る。ブレーキ灯はブレーキを踏まなくても点灯する。押しボタンスイッチ１をＯＮ，ＯＦＦすると、非常灯、ブレーキ灯は点灯点滅し、クラクション、後部警報器が、断続して鳴る。【選択図】図１
0003146773.tif 000002
【実用新案登録請求の範囲】
【請求項１】
従来の方向指示レバーの端に、非常灯用押しボタンスイッチ１を取り付ける。
押しボタンスイッチ１を押すと非常灯が点灯する。
スイッチ１を押した状態で、レバーを左折に入れると、クラックションが鳴り、レバーを右折に入れると、ブレーキ灯が点灯し、後部警報器が鳴る。
ボタンスイッチ１を、ＯＮ、ＯＦＦすると、非常灯、ブレーキ灯は点灯点滅し、クラクション、警報器は断続して鳴る。
以上のごとく構成された方向指示器である。
【考案の詳細な説明】
【技術分野】
【０００１】本考案は、従来の方向指示レバーに、警告機器の制御操作の機能を加えたものである。
【背景技術】
【０００２】従来、方向指示器は、パッシングする警告程度で、後方には警告が出来なかった。
【考案の開示】
【考案が解決しようとする課題】
【０００３】本考案は、従来、注意の警告が出来なかった方向指示レバーに、制御用押しボタンスイッチを取り付けて、非常灯の点灯点滅、クラクションを鳴らす、ブレーキを踏まずに、ブレーキ灯の点灯点滅、後方警報器を鳴らす。以上の機能をもたせた。
【課題を解決するための手段】
【０００４】［操作図面にて説明すれば、］
イ）、方向指示レバーの端に取り付けた、押しボタンスイッチ１を押せば、非常灯が点灯する。
ロ）、押しボタンスイッチ１を押した、非常灯の点灯状態で、
ａ）、レバーを左折に入れると、スイッチ２がＯＮとなり、クラクションが鳴る。
ｂ）、レバーを右折に入れると、スイッチ３がＯＮとなり、ブレーキ灯が点灯し、後部警報器が鳴る。
ｃ）、押しボタンスイッチ１をＯＮ、ＯＦＦすれば、非常灯、ブレーキ灯は点灯点滅し、クラクション、後部警報は断続して鳴る。
【考案の効果】
【０００５】本考案は、下記の事故防止に、走行中であっても、方向指示レバーの操作で、前方および、後方に迅速に注意を喚起する事ができるものである。
１）、道路横断中の人がいる事を、後方の車に前方注意の警告。
２）、はみ出し対向車に衝突注意の警告。
４）、停止中、走行中に、急接近して来る車に追突注意の警告。
５）、急ブレーキを掛けて停止したとき、後方の車に追突注意の警告。
【考案を実施するための最良の形態】
【０００６】走行中も、ハンドルを両手で握った状態で、方向指示レバーによる、安全迅速な警告ができる。
【図面の簡単な説明】
【０００７】  図１は本考案の操作配線図
【符号の説明】
【０００８】
0003146773.tif 000003
２、▲４▼  は非常灯。
３、▲５▼  はクラクション。
0003146773.tif 000004
５、▲６▼  はブレーキ灯
６、▲７▼  は後部警報器（新設置）。
0003146773.tif 000005
スイッチ。
【図１】
0003146773.tif 000006
【手続補正書】
【提出日】平成20年8月20日(2008.8.20)
【手続補正１】
【補正対象書類名】実用新案登録請求の範囲
【補正対象項目名】全文
【補正方法】変更
【補正の内容】
【実用新案登録請求の範囲】
方向指示レバーの端に、非常灯用の押しボタンスイッチを取り付けてなる、警告機器の制御装置であって、前記押しボタンスイッチが押されると、非常灯が点灯し、スイッチを押した状態で、レバーを左折に入れるとクラクションが鳴り、前記方向指示レバーが右折に入れられると、ブレーキ灯が点灯し、後部警報器が鳴り、前記押しボタンスイッチが、ＯＮ、ＯＦＦされると、非常灯、ブレーキ灯は点灯点滅し、クラクション、後部警報器は断続して鳴ることを特徴とする、警告機器の制御装置。
【手続補正２】
【補正対象書類名】明細書
【補正対象項目名】０００７
【補正方法】変更
【補正の内容】
【０００７】
【図１】  本考案の操作配線図である。
(57)【要約】      （修正有）【課題】洗濯物を干すとき、どこがフック部かと気にする必要がなく洗濯物をかけることができるハンガーを提供する。【解決手段】三角形を基本とした、シンメトリーな形状で、それぞれ３つの頂点が物干竿に引っ掛けるフックになり、どの頂点を物干竿に引っ掛けてもハンガーとしての機能を失うことなく自由に使える。また、切り込み１のある辺を下にして使用した場合、スカートやパンツなどのベルトループのあるものが干しやすい作りになっている。外形は無駄な凹凸を一切施していないので、衣類を本ハンガーにかける際、衣類がハンガーの凹凸に引っかかってかけづらいということがない。また、本ハンガーは平面で全てつながっており、部品ごとに成形を分ける必要がないので射出成形などによる一体成形生産が容易である。【選択図】図１
0003146777.tif 000002
【実用新案登録請求の範囲】
【請求項１】
（１）本製品は、衣料用ハンガーである。三角形を基本としたシンメトリーな形状で、それぞれ３つの頂点が物干竿に引っ掛けるフックになり、自由に使える。
（２）切れ目のある辺を下にして使用した場合、スカートやパンツなどのベルトホールのあるものが干しやすい作りになっている。
【考案の詳細な説明】
【技術分野】
【０００１】本考案は、外形を三角形を基本としたシンメトリーな形にし、それぞれの頂点をフック状にすることで、３つの頂点のどれでも自由に物干竿に引っ掛けることのできるハンガーに関するものである。
【背景技術】
【０００２】衣料用ハンガーはほとんどのものが、物干竿に引っ掛けるハンガー上部のフック部と、服を引っ掛けるハンガー下部の吊り掛け部からなる形をしている。吊り掛け部には様々な工夫がなされた商品もある。
（特許公開２００７−３２５６５４など）
【考案の開示】
【考案が解決しようとする課題】
【０００３】様々な形をしたハンガーがあるが、従来のハンガー同様フック部、吊り掛け部と分かれた形から成ることに変わりはなく、使い方自体に汎用性がない。【０００４】ズボンが引っ掛けやすい、キャミソールが干しやすいなどと使い方を特定するハンガーは特殊な凹凸があるなどして他の服を干しにくい形をしていることがあり、結局使いづらいものとなる。
【課題を解決するための手段】
【０００５】本考案は、三角形を基本とした、シンメトリーな形状で、それぞれ３つの頂点が物干竿に引っ掛けるフックになり、どの頂点を物干竿に引っ掛けてもハンガーとしての機能を失うことなく自由に使える。
【考案の効果】
【０００６】本考案のハンガーで洗濯物を干すとき、どこがフック部かと気にする必要がなく洗濯物をかけることができる。【０００７】また、切り込み（１）のある辺を下にして使用した場合、スカートやパンツなどのベルトループのあるものが干しやすい作りになっている。【０００８】外形は無駄な凹凸を一切施していないので、衣類を本考案ハンガーにかける際、衣類がハンガーの凹凸に引っかかってかけづらいということがない。【０００９】また、本考案のハンガーは平面で全てつながっており、部品ごとに成形を分ける必要がないので射出成形などによる一体成形生産が容易である。【００１０】頂点２（４）をフック部として本考案ハンガーを物干竿に掛けて使用する場合、風などが強くても物干竿から本考案ハンガーが落下しにくい。
【考案を実施するための最良の形態】
【００１１】以下、本発明の実施の形態を、図１から図６を用いて説明する。
図１は本考案のハンガーを切り込み（１）を左に置いた場合の正面図であり、他図はそれに伴った左右側面図、平面図、底面図、背面図である。図からも明らかなように全ての部位が平面でつながっており、射出成形などで用いる金型なども一体成形で容易に制作することができる。また、この本考案ハンガーの材料としては、射出成型可能なポリプロピレン等の熱可塑性樹脂を使用することができる。【００１２】頂点１（３）、頂点３（５）をフック部として使用する場合、あらかじめ服を本考案ハンガーに掛けてから物干竿にかける、または物干竿に本考案ハンガーが掛けてある状態で服を本考案ハンガーに掛けるという使用方法になる。この際、襟ぐりが小さい服は、例えば頂点１（３）をフック部として本考案ハンガーを使用する場合、切り込み（１）に接している頂点３（５）から服を通し、襟ぐりと服の肩部を頂点２（４）内部まで引き込んでから服のもう片方の肩部を頂点２（４）に掛けると、服の襟ぐりが伸びずにすむ。【００１３】頂点２（４）をフック部として使用する場合、物干竿に本考案ハンガーが掛けてある状態で服を掛ける使用方法になる。この際、キャミソールのように肩ひもがハンガーから落ちやすい服、ベルトループのあるズボンやスカートを干すのに適しているハンガーとなる。細い肩ひもやベルトループを足１（２）、足２（６）に掛けると本考案ハンガーから落下することなく乾かすことができる。また、この場合、風などが強くても物干竿から本考案ハンガーが落下しにくいというメリットがある。
【図面の簡単な説明】
【００１４】
【図１】本考案の切れ目のある部分を左に示した場合の正面図
【図２】本考案の切れ目のある部分を左に示した場合の左側面図
【図３】本考案の切れ目のある部分を左に示した場合の平面図
【図４】本考案の切れ目のある部分を左に示した場合の底面図
【図５】本考案の切れ目のある部分を左に示した場合の右側面図
【図６】本考案の切れ目のある部分を左に示した場合の背面図
【符号の説明】
【００１５】１  切り込み
２  足１
３  頂点１
４  頂点２
５  頂点３
６  足２
【図１】
0003146777.tif 000003
【図２】
0003146777.tif 000004
【図３】
0003146777.tif 000005
【図４】
0003146777.tif 000006
【図５】
0003146777.tif 000007
【図６】
0003146777.tif 000008
【手続補正書】
【提出日】平成20年9月2日(2008.9.2)
【手続補正１】
【補正対象書類名】実用新案登録請求の範囲
【補正対象項目名】全文
【補正方法】変更
【補正の内容】
【実用新案登録請求の範囲】
【請求項１】
全ての部位が平面でつながって一体に成形され、正面方向からみた形状は三角形を基本としたシンメトリーな略三角形状であって、該三角形の底辺中央部に物干し竿の横軸が通過可能な切り込みを備え、該三角形のいずれの頂点も物干し竿を引っ掛けるフックとなることを特徴とする衣料用ハンガー。
(57)【要約】      （修正有）【課題】体を冷やすことなく、入浴と同時に頭部のケアをできるようにして、入浴時間を効率的に使うことを可能とする浴槽を提供する。【解決手段】浴槽本体と、前記浴槽本体に形成され、入浴者の身体を収容可能な第１の槽と、前記浴槽本体に形成され、前記第１の浴槽に身体を収容した状態で、前記入浴者の頭部を収容可能な第２の槽とを有することを特徴としている。２つの槽は互いに独立して湯を張ったり排出することができ、互いに異なる湯を張ることも可能である。【選択図】図１
0003146710.tif 000002
【実用新案登録請求の範囲】
【請求項１】
浴槽本体と、
前記浴槽本体に形成され、入浴者の身体を収容可能な第１の槽と、
前記浴槽本体に形成され、前記第１の浴槽に身体を収容した状態で、前記入浴者の頭部を収容可能な第２の槽と
を有することを特徴とする浴槽。
【考案の詳細な説明】
【技術分野】
【０００１】
本考案は、浴槽に関し、より詳しくは入浴中に頭部、髪のケアを行うことを可能とする浴槽に関する。
【背景技術】
【０００２】
従来の浴槽は、入浴時に身体を湯に浸けた状態になる。このとき通常頭部は湯に浸けない。
【特許文献１】特開２００６−６１３７２号公報（図１）
【考案の開示】
【考案が解決しようとする課題】
【０００３】
従来の浴槽では、入浴時には頭部、髪の洗浄やトリートメントなどのケアを行うことができなかった。浴槽内にシャンプーやトリートメント剤などが入って、湯が汚れてしまうためである。そのため、入浴者は浴槽から出て別途頭部、髪の洗浄やトリートメントなどのケアを行う必要があった。そのため、冬期などは体が冷えてしまうという不都合があった。また、入浴と頭部のケアを別々に行うため時間の無駄が生じていた。
【０００４】
本考案の目的は、体を冷やすことなく、入浴と同時に頭部のケアをできるようにして、入浴時間を効率的に使うこと可能とする。
【課題を解決するための手段】
【０００５】
本考案は、上記課題を解決するための手段として以下の特徴を有する。
この浴槽は、浴槽本体と、前記浴槽本体に形成され、入浴者の身体を収容可能な第１の槽と、前記浴槽本体に形成され、前記第１の浴槽に身体を収容した状態で、前記入浴者の頭部を収容可能な第２の槽とを有することを特徴としている。
【考案の効果】
【０００６】
本考案によれば、体を冷やすことなく、入浴と同時に頭部のケアをできるようにして、入浴時間を効率的に使うこと可能とする。
【考案を実施するための最良の形態】
【０００７】
以下、図面を参照しながら本考案の実施の形態について説明する。  
図１は、本考案にかかる浴槽の斜視図である。図示した浴槽１には、本考案の第１の槽に相当する身体用槽２が設けられている。身体用槽２は、水又は湯を溜めることができ、水又は湯を溜めた状態で、入浴者の身体の全部又は一部を収容することができる槽である。身体用槽２は、湯を張った状態で入浴者の身体を収容できる大きさを有する。
【０００８】
また身体用槽２には、湯を浴槽１外部へ排出させるための湯抜き孔３が形成されている。湯抜き孔３には栓（図略）がはめられるようになっており、栓を抜くことにより、身体用槽２内部の湯を湯を湯抜き孔３を介して排出できるようになっている。
【０００９】
また、浴槽１には、入浴者が身体用槽２に体を横たえた状態で、その入浴者の頭部を収容できる位置に頭部用槽４が形成されている。頭部用槽４は、本考案の第２の槽に相当する。また頭部用槽４には、湯を浴槽１外部へ排出させるための湯抜き孔５が形成されている。湯抜き孔５には栓（図略）がはめられるようになっており、栓を抜くことにより、頭部用槽４内部の湯を湯抜き孔５を介して排出できるようになっている。
【００１０】
身体用槽２と頭部用槽４は互いに独立して湯を張ったり、湯を払ったりすることができる。そのため、身体用槽２の湯には入浴剤を入れるとともに、頭部用槽４の湯にトリートメント剤を入れるような、互い異なる湯を身体用槽２と頭部用槽４に張ることも可能である。また、身体用槽２と頭部用槽４をそれぞれ単独で使用することもできる。
【００１１】
なお、身体用槽２と頭部用槽４への給湯は、これらの上方に湯用の蛇口を設けて行うようにしても良いし、身体用槽２と頭部用槽４のそれぞれの側壁に給油用の開口を設け、風呂釜や給油装置からの湯を開口から身体用槽２と頭部用槽４内へ注ぎ込むようにしても良い。
【００１２】
［その他］
本考案にかかる浴槽１は、個人宅用としてだけでなく、スパリゾート、ホテル、銭湯、スポーツクラブにおいても使用することができる。この場合には複数人が同時に入浴できる大きさの身体用槽２を設け、この身体用槽２の周囲に複数個の頭部用槽４を設けるようにして良い。
その他本考案の技術的範囲を逸脱しない範囲内で、いかなる変形も可能である。
【図面の簡単な説明】
【００１３】
【図１】本考案にかかる浴槽の斜視図
【図２】図１のＡ−Ａ断面線に沿った断面図
【符号の説明】
【００１４】
１  …  浴槽
２  …  身体用槽
３  …  湯抜き孔
４  …  頭部用槽
５  …  湯抜き孔
【図１】
0003146710.tif 000003
【図２】
0003146710.tif 000004
(57)【要約】      （修正有）【課題】側溝に設置する矩形のコンクリート製側溝蓋版において、側溝の支承面と蓋版とのガタツキに起因して発生する衝撃力に対抗することのできる隅角部を補強したコンクリート製側溝蓋版を提供する。【解決手段】隅角部を補強したコンクリート製側溝蓋版は、衝撃剪断力が作用する破断面にほぼ直交するように、蓋版の対角方向に補強鉄筋を配することによって、該鉄筋が効率よく衝撃剪断力に抵抗し、コンクリートの脆性を補強して耐久性が向上する。【選択図】図１
0003146728.tif 000002
【実用新案登録請求の範囲】
【請求項１】
四隅に対角方向の補強鉄筋を配したことを特徴とするコンクリート製側溝蓋版。
【考案の詳細な説明】
【技術分野】
【０００１】
本考案は、側溝に設置する矩形のコンクリート製側溝蓋版（以下「蓋版」という）において、側溝の支承面と蓋版とのガタツキに起因して発生する衝撃力に対抗するように、四隅に対角方向の補強鉄筋を配したことを特徴とする蓋版に関する。
【背景技術】
【０００２】
側溝と蓋版の段差解消を図った発明には特開２００３−１２９５５７、蓋版の強化を目的とした考案には実願昭６１−１５３７６２などがある。
【特許文献１】特開２００３−１２９５５７号公報
【特許文献２】実願昭６１−１５３７６２号公報
【考案の開示】
【考案が解決しようとする課題】
【０００３】
蓋版は、図２に示すように、側溝に設けられた支承面２に設置されるが、この支承面２に製作上の不陸がある場合、あるいは蓋版の設置作業時に砂等の異物が混入すると、面接触から点支持になってシーソーのような動揺（ガタツキ）が生じる。
【０００４】
従来、蓋版はガタツキがないことを前提に、静的な上載荷重に耐えられるように設計され、無筋コンクリート製あるいはスパン方向に配筋したＲＣコンクリート製となっているが、ひとたびガタツキが生じた後、自動車等が蓋版上を通過すると、蓋版の四隅に動的な荷重が繰り返してかかり、図３のような剪断破損にいたることが多い。
【課題を解決するための手段】
【０００５】
一般に、蓋版を設置する現場作業において、多少のガタツキは不可避であることから、図４に示すように、本考案の蓋版は、衝撃剪断力が作用する破断面３にほぼ直交するように、蓋版の対角方向に補強鉄筋１を配することによって、鉄筋が効率よく衝撃剪断力に抵抗してコンクリートの脆性を補強する。
【考案の効果】
【０００６】
本考案の蓋版は、四隅に発生する衝撃剪断力に対する耐力が強化されるので、側溝の支承と蓋版の間にガタツキが生じた場合でも、終局的な破損に至らず耐久性が向上する。また蓋版の設置作業においては、支承面の不陸の精度管理を厳密にする必要がなくなるので施工性が向上する。
【図面の簡単な説明】
【０００７】
【図１】本考案の補強鉄筋を配した蓋版を示す透視図である。
【図２】側溝と蓋版の組み合わせを示す斜視図である。
【図３】従来の蓋版の破損状況を示す斜視図である。
【図４】従来の蓋版に生ずる破断面と本考案の補強鉄筋の位置関係を示す透視図である。
【符号の説明】
【０００８】
１  補強鉄筋
２  側溝の支承面
３  破断面
【図１】
0003146728.tif 000003
【図２】
0003146728.tif 000004
【図３】
0003146728.tif 000005
【図４】
0003146728.tif 000006
(57)【要約】      （修正有）【課題】就寝時にのど元が苦しく感じることがない夜着を提供する。【解決手段】夜着１０は、前身頃１１ａ、１１ｂ、後ろ身頃１２、両袖１３ａ、１３ｂ、衿１４を備えて縫製されている。衿１４は、前身頃１１ａから前身頃１１ｂまで、後ろ身頃１２を通って縫い付けられており、この衿１４が後ろ身頃１２で縫い付けられる後ろ衿付け部分は比較的大きく刳られている。【選択図】図１
0003146111.tif 000002
【実用新案登録請求の範囲】
【請求項１】
前身頃、後ろ身頃、両袖、衿を備えて縫製される夜着において、後ろ衿付け部分が刳られていることを特徴とする夜着。
【考案の詳細な説明】
【技術分野】
【０００１】  この考案は、前身頃、後ろ身頃、両袖、衿を備えて縫製される夜着に関するものである。
【背景技術】
【０００２】  夜着とは、かいまきとも称される「普通の着物のような形で大形のものに厚く綿を入れた夜具（広辞苑第四版２６３８頁）」であり、防寒寝具として用いられている。【０００３】  図２は、従来の夜着２０を示す図であり、前身頃２１ａ、２１ｂ、後ろ身頃２２と、両袖２３ａ、２３ｂ、衿２４を備えて縫製されている。【０００４】  しかしながら、このような従来の夜着２０では、着物を原型としているため、肩のラインと後ろ衿が一直線状であり、図３のように就寝時にのど元が押され気味となり苦しく感じられることがあった。【０００５】  また、特許文献１に開示の夜着は後ろ衿付け部分が刳られていないため、就寝時にのど元が押され気味となり苦しく感じられることがあった。
【特許文献１】  実開昭６３−１４４０６８号公報
【考案の開示】
【考案が解決しようとする課題】
【０００６】  この考案が解決しようとする課題は、就寝時にのど元が苦しく感じることがない夜着を提供することである。
【課題を解決するための手段】
【０００７】  上述の課題を解決し、目的を達成するために、この考案の夜着は、請求項１の記載によると、前身頃、後ろ身頃、両袖、衿を備えて縫製される夜着において、後ろ衿付け部分が刳られていることを特徴とする。
【考案の効果】
【０００８】  この考案の夜着では、のど元が押されることがないので、快適な就寝が得られることになった。【０００９】  また、この考案の夜着では、従来の夜着と比べて、肩をさらに包み込むことが可能となり、より暖かな就寝が得られることになった。
【考案を実施するための最良の形態】
【００１０】  この考案の実施の形態例を、図１を用いて以下に説明する。なお、この考案の実施の形態例で説明する素材や手段等はこれに限定されるものではなく、実用新案登録請求の範囲に記載した範囲を逸脱しない広範囲の実施形態を包含するものである。【００１１】  図１は、この考案の実施の形態例における夜着１０の全体図である。図１によると、この考案の実施の形態例における夜着１０は、前身頃１１ａ、１１ｂ、後ろ身頃１２、両袖１３ａ、１３ｂ、衿１４を備えて縫製されている。また、当該各部は綿入れ地や毛布地のような保温性の良好な生地が用いられる。【００１２】  なお、この考案では、前身頃１１ａ、１１ｂ、後ろ身頃１２、両袖１３ａ、１３ｂに綿入れ地を用いているので、生地の内部で綿が片寄ることを防止するために、図１に破線で示すキルティング１５が施されている。【００１３】  前身頃１１ａ、１１ｂと後ろ身頃１２は、その肩部分で縫い付けられている。また、両袖１３ａ、１３ｂは、各々筒状に縫い合わせた後に、袖付け部分で前身頃１１ａ、１１ｂ、後ろ身頃１２に縫い付けられている。【００１４】  また、衿１４は、前身頃１１ａから前身頃１１ｂまで、後ろ身頃１２を通って縫い付けられている。この衿１４が後ろ身頃１２で縫い付けられる後ろ衿付け部分は、図１に矢示Ａで示す通り、比較的大きく刳られている。【００１５】  従来の夜着は、広辞苑で「普通の着物のような形」と説明されるように、着物を原型としているため、後ろ衿付け部分を刳るという発想が乏しかった。また、特許文献１の夜着は着物を原型にしていないにも関わらず、後ろ衿付け部分を刳るという発想がなかった。この考案は、本願考案者が従来の夜着の課題であったのど元の圧迫感を解決することに着目したことで初めて想達されたものであり、後ろ衿付け部分を比較的大きく刳ることで、就寝時にのど元が押されることがなくなった。【００１６】  また、この後ろ衿付け部分の刳りにより、従来の夜着よりさらに肩を包み込むことが可能となり、より暖かく感じることができる。
【図面の簡単な説明】
【００１７】
【図１】  この考案の実施の形態例における夜着１０の全体図
【図２】  従来の夜着２０の全体図
【図３】  従来の夜着２０を使用している状態の斜視図
【符号の説明】
【００１８】１０・・夜着、１１ａ、１１ｂ・・前身頃、１２・・後ろ身頃、１３ａ、１３ｂ・・両袖、１４・・衿、１５・・キルティング、２０・・夜着、２１ａ、２１ｂ・・前身頃、２２・・後ろ身頃、２３ａ、２３ｂ・・両袖、２４・・衿
【図１】
0003146111.tif 000003
【図２】
0003146111.tif 000004
【図３】
0003146111.tif 000005
(57)【要約】      （修正有）【課題】透明クリアー・ホルダーに穴あきパンチ孔の穴代をつけて、ファイルホルダーに綴じ込みを可能にしたもので、綴じ込み時にホルダー押さえ具を全て取り外すことなく安易に綴じこみを可能とする書類ホルダーを提供する。【解決手段】透明シートの上面と下面を左端辺と下端辺で貼り合わせ、該左端辺にパンチ孔部分を綴じ込む穴代をつけて、クリアーホルダーを構成する。該綴じ込み穴代にパンチ孔２を開け、該パンチ孔に沿った切り込み３をつける。【選択図】図２
0003146120.tif 000002
【実用新案登録請求の範囲】
【請求項１】
透明シートの２面を張り合わせた書類ホルダー綴じ込み部分にパンチ孔に穴しろをつけて、パンチ孔に沿った切り込みをつけることにより、ファイルホルダーの押えつけ具を全て外すことなくファイルホルダーに、書類の綴じ込みを可能にする透明クリアホルダー。
【考案の詳細な説明】
【技術分野】
【０００１】  本考案は、透明シートの上面と下面を左面と下面を張り合わせ左辺にパンチ孔部分を綴じこむ穴しろをつける。
綴じ込み孔に切り込みをつけることにより、ファイルホルダーに綴じこむ時、パンチ孔に押さえ具を取り外すことなくファイルの取り込み、取り外しが簡単に出来るようになる。
【考案の開示】
【０００２】  穴しろ部分に綴じ込み孔をつけることによりクリアホルダーを数部一括綴じ込むことが可能になり、これによりホルダー管理が数段向上する。
【考案の効果】
【０００３】  クリアホルダーのファイルホルダーへの脱着が簡易になることにより各種アイテム別ファイルの理管理が向上する。
【図面の簡単な説明】
【０００４】
【図１】平面図
【図２】平面ホルダーを開いた図
【図３】ファイルホルダーに装着した図
【符号の説明】
【０００５】１  穴しろ部分
２  パンチ孔
３  切りこみ
【図１】
0003146120.tif 000003
【図２】
0003146120.tif 000004
【図３】
0003146120.tif 000005